(57)【特許請求の範囲】
【請求項１】
便器本体と、
開口部が設けられた板状部を有するタンクと、
前記開口部を通して配置され、前記タンクの内部から水を導出し又は前記タンクの内部に水を導入する導水管と、を備え、
前記板状部における前記開口部の周縁には、前記板状部における第１面及び／又は前記第１面と反対側の第２面において、前記開口部の貫通方向に延び且つ前記導水管を前記開口部の径方向の内側にガイドするリブ部が形成され、
前記リブ部は、前記開口部の周方向に厚みを有する板状に形成され、
前記リブ部を複数備え、
複数の前記リブ部は、前記開口部の周縁に沿って配置され、
隣り合う前記リブ部の間隔は、前記導水管の径よりも小さい
便器洗浄装置。
【請求項２】
前記リブ部は、前記開口部の径方向の内側に凸となる曲線部を有する請求項１に記載の便器洗浄装置。
【請求項３】
前記リブ部は、前記開口部の径方向に延びる請求項１又は２に記載の便器洗浄装置。
【請求項４】
前記リブ部は、前記開口部の径方向の内側に延びる請求項３に記載の便器洗浄装置。
【請求項５】
前記導水管は、外面において前記導水管が延びる方向に並んで形成される複数の凸部を有する蛇腹状に形成される請求項１から４のいずれかに記載の便器洗浄装置。
【請求項６】
前記リブ部は、前記開口部の径方向の内側に延びており、
前記リブ部における前記開口部の貫通方向の長さは、前記導水管における隣り合う前記凸部の間隔よりも長い請求項５に記載の便器洗浄装置。
【発明の詳細な説明】
【技術分野】
【０００１】
本発明は、開口部が設けられた板状部を有するタンクと、開口部を通して配置される導水管と、を備える便器洗浄装置に関する。
【背景技術】
【０００２】
従来、開口部が設けられた蓋部（板状部）を有する洗浄水タンク（タンク）と、洗浄水タンクの内部に配置される給水部と、洗浄水タンクの上方に配置される手洗部と、蓋部の開口部を通して配置され給水部と手洗部とを接続する導水管と、を備える便器洗浄装置が知られている（例えば、特許文献１及び２参照）。
【先行技術文献】
【特許文献】
【０００３】
【特許文献１】特開２０１２−２２５０４７号公報
【特許文献２】特開２０１２−２０２１２２号公報
【発明の概要】
【発明が解決しようとする課題】
【０００４】
特許文献１及び２に記載の技術においては、導水管が蓋部の開口部に通して配置されるため、導水管の取り付け作業又は導水管の取り外し作業の際に、導水管が蓋部の開口部の周縁に引っ掛かって、蓋部が外れたり、導水管が擦れて破損してしまう虞がある。特に、導水管が蛇腹状に形成される場合には、導水管は、蓋部の開口部の周縁に引っ掛かりやすい。
【０００５】
本発明は、導水管が開口部の周縁に引っ掛かることを低減できる便器洗浄装置を提供することを目的とする。
【課題を解決するための手段】
【０００６】
本発明は、便器本体と、開口部が設けられた板状部を有するタンクと、前記開口部を通して配置され、前記タンクの内部から水を導出し又は前記タンクの内部に水を導入する導水管と、を備え、前記板状部における前記開口部の周縁には、前記板状部における第１面及び／又は前記第１面と反対側の第２面において、前記開口部の貫通方向に延び且つ前記導水管を前記開口部の径方向の内側にガイドするリブ部が形成される便器洗浄装置に関する。
【０００７】
また、前記リブ部は、前記開口部の径方向の内側に凸となる曲線部を有することが好ましい。
【０００８】
また、前記リブ部は、前記開口部の径方向に延びることが好ましい。
【０００９】
また、前記リブ部は、前記開口部の径方向の内側に延びることが好ましい。
【００１０】
また、前記リブ部を複数備え、複数の前記リブ部は、前記開口部の周縁に沿って配置され、隣り合う前記リブ部の間隔は、前記導水管の径よりも小さいことが好ましい。
【００１１】
また、前記導水管は、外面において前記導水管が延びる方向に並んで形成される複数の凸部を有する蛇腹状に形成されることが好ましい。
【００１２】
また、前記リブ部は、前記開口部の径方向の内側に延びており、前記リブ部における前記開口部の貫通方向の長さは、前記導水管における隣り合う前記凸部の間隔よりも長いことが好ましい。
【発明の効果】
【００１３】
本発明によれば、導水管が開口部の周縁に引っ掛かることを低減できる便器洗浄装置を提供することができる。
【図面の簡単な説明】
【００１４】
【図１】本発明の一実施形態に係る便器洗浄装置１００の側面図である。
【図２】本発明の一実施形態に係る便器洗浄装置１００の正面図である。
【図３】洗浄水タンク２０及び手洗い側給水配管３３の構成を示す斜視図である。
【図４】蓋部２２に手洗い側給水配管３３が通る状態を示す斜視図である。
【図５】蓋部２２に手洗い側給水配管３３が通る状態を示す平面図である。
【図６】図５のＡ−Ａ線断面図である。
【図７】図５のＢ−Ｂ線断面図である。
【発明を実施するための形態】
【００１５】
以下、本発明の便器洗浄装置１００の好ましい実施形態について、図面を参照しながら説明する。
まず、本発明の一実施形態に係る便器洗浄装置１００の全体構成について、図１〜図３を参照しながら説明する。
【００１６】
本実施形態の便器洗浄装置１００は、図１及び図２に示すように、便器１０と、タンクとしての洗浄水タンク２０と、手洗い器３０と、収納部４０と、を備える。
便器１０は、便器本体１１と、この便器本体１１の上部に便器本体１１に対して開閉可能に取り付けられる便座１２及び便蓋１３と、を含んで構成される。
【００１７】
収納部４０は、便器１０の後方に配置され、後述する洗浄水タンク２０及び各種の配管等を収納する。また、この収納部４０の上部には手洗い器３０が設けられる。収納部４０は、例えば、便器洗浄装置１００を設置するトイレルームの一の壁面に沿うように配置される。
【００１８】
手洗い器３０は、後述する洗浄水タンク２０の上方に配置される。この手洗い器３０は、手洗い鉢３１と、手洗い吐水管３２と、を備える。
【００１９】
手洗い鉢３１は、手洗い吐水管３２から吐出される手洗い水を受ける。この手洗い鉢３１の底部には、排水口（図示せず）が形成されている。排水口（図示せず）は、洗浄水タンク２０に排水する。
【００２０】
手洗い吐水管３２は、手洗い鉢３１から起立するように配置される。この手洗い吐水管３２の先端部は、下方に開口している。
手洗い吐水管３２の基端部３２ａは、手洗い側給水配管３３（導水管）を介して洗浄水タンク２０の内部に配置される給水部（図示せず）に接続される。給水部（図示せず）は、外部から供給される水を給水し、洗浄水タンク２０の水位に応じて給水を行うボールタップ（図示せず）などを備えている。
【００２１】
手洗い側給水配管３３は、手洗い器３０と給水部（図示せず）とを接続し、給水部（図示せず）から供給される水を手洗い器３０に導く。手洗い側給水配管３３は、図３に示すように、後述する洗浄水タンク２０の導出口２２４を通して配置され、洗浄水タンク２０の内部から水を導出する。
【００２２】
手洗い側給水配管３３は、図３〜図６に示すように、洗浄水タンク２０の内部に配置された給水部（図示せず）から手洗い器３０に向かって順に、図６に示すように、タンク接続部３３１、第１屈曲部３３２、第１蛇腹構成部３３３、第２屈曲部３３４及び第２蛇腹構成部３３５の順に連続して接続され、図４及び図５に示すように、第２蛇腹構成部３３５から、第３屈曲部３３６及び手洗い器接続部３３７の順に連続して接続されている。
【００２３】
タンク接続部３３１は、図６に示すように、洗浄水タンク２０の内部に配置される。タンク接続部４３は、手洗い側給水配管３３の上流側の端部を構成し、洗浄水タンク２０の内部に配置される給水部（図示せず）に接続される。
【００２４】
第１屈曲部３３２は、図６に示すように、略Ｌ字状に形成され、洗浄水タンク２０の内部に配置される。第１屈曲部３３２は、一端がタンク接続部３３１に接続され、一端から水平方向に延び所定位置で水平方向の所定方向に屈曲されて他端まで延び、他端が第１蛇腹構成部３３３の一端に接続される。
【００２５】
第１蛇腹構成部３３３は、図６に示すように、洗浄水タンク２０の内部に配置され、水平方向に直線状に延びるように形成される。第１蛇腹構成部３３３は、一端が第１屈曲部３３２の他端に接続され、他端が第２屈曲部３３４の一端に接続される。
【００２６】
第２屈曲部３３４は、図６に示すように、略Ｌ字状に形成され、洗浄水タンク２０の内部に配置される。第２屈曲部３３４は、一端が第１蛇腹構成部３３３の他端に接続され、一端から水平方向に延び所定位置で垂直方向に屈曲されて他端まで延び、他端が第２蛇腹構成部３３５の一端に接続される。
【００２７】
第２蛇腹構成部３３５は、図４に示すように、垂直方向に直線状に延び、蓋部２２に形成される導出口２２４（後述）を通るように配置される。第２蛇腹構成部３３５は、蓋部２２に形成される導出口２２４を介して、洗浄水タンク２０の内部と外部と亘って配置されている。第２蛇腹構成部３３５は、一端が第２屈曲部３３４の他端に接続され、他端が第３屈曲部３３６の一端に接続される。
【００２８】
第３屈曲部３３６は、図４に示すように、略Ｌ字状に形成され、洗浄水タンク２０の外部に配置される。第３屈曲部３３６は、一端が第２蛇腹構成部３３５の他端に接続され、一端から垂直方向に延び所定位置で水平方向に屈曲されて他端まで延び、他端が手洗い器接続部３３７を構成する。手洗い器接続部３３７は、手洗い側給水配管３３の下流側の端部を構成し、手洗い吐水管３２の基端部に接続される。
【００２９】
第１蛇腹構成部３３３及び第２蛇腹構成部３３５は、柔軟性を有し、山折り部及び谷折り部が繰り返されて形成された蛇腹状に構成される。本実施形態においては、第１蛇腹構成部３３３及び第２蛇腹構成部３３５における蛇腹構成部の山折り部を山状凸部（凸部）３３１ａともいう（図６及び図７参照）。複数の山状凸部３３１ａは、第１蛇腹構成部３３３及び第２蛇腹構成部３３５の外面において、手洗い側給水配管３３が延びる方向に並んで形成される。これにより、第１蛇腹構成部３３３及び第２蛇腹構成部３３５は、屈曲及び伸縮自在に構成される。
【００３０】
手洗い側給水配管３３を手洗い器３０に取り付ける場合には、タンク接続部３３１（図６参照）を洗浄水タンク２０の内部に配置した給水部（図示せず）に接続した図３に示す状態から、手洗い側給水配管３３を、第２蛇腹構成部３３５の所定部分において屈曲させて、図１及び図２に示すように、手洗い側給水配管３３の手洗い器接続部３３７を手洗い吐水管３２の基端部３２ａに取り付ける。その後、ナット部３４によりこれらの接続部分を締め付けることで、手洗い側給水配管３３と洗浄水タンク２０の内部に配置される給水部（図示せず）とが接続される。
【００３１】
洗浄水タンク２０は、図１及び図２に示すように、便器１０の後方かつ上方に配置され、便器本体１１を洗浄する洗浄水を貯留する。洗浄水タンク２０は、手洗い器３０の下方に配置される。この洗浄水タンク２０は、図３に示すように、上面が開口したタンク本体２１と、このタンク本体２１の上面に配置され、タンク本体２１の上面を覆う蓋部２２（板状部）と、を備える。
【００３２】
タンク本体２１の内部には、給水部（図示せず）が配置される。洗浄水タンク２０は、タンク本体２１の内部に給水部（図示せず）が設置された後、蓋部２２によりタンク本体２１の上面が塞がれて、組み立てられる。
【００３３】
蓋部２２は、タンク本体２１の上面に配置され、タンク本体２１の上面を覆う。この蓋部２２は、図３に示すように、蓋本体２２１と、外側周壁部２２２と、導入部２２３と、開口部としての導出口２２４と、を備える。
【００３４】
蓋本体２２１は、板状に形成され、タンク本体２１の上面の開口を覆う。
外側周壁部２２２は、蓋本体２２１の周縁の近傍に設けられ、蓋本体２２１の上面から上方に立ち上がる。外側周壁部２２２は、蓋本体２２１の全周に亘って設けられる。
【００３５】
導入部２２３は、手洗い器３０からの排水が導入される。導入部２２３は、図３に示すように、蓋本体２２１に形成される。導入部２２３は、導入凹部２２３ａと、立ち上がり周壁部２２３ｂと、を有する。導入凹部２２３ａの底部側には、導入口（図示せず）が設けられている。
【００３６】
立ち上がり周壁部２２３ｂは、導入凹部２２３ａの周囲において、蓋本体２１１の上面から方形筒状に立ち上がって形成される。
導入凹部２２３ａには、手洗い器３０からの排水が導入される。
【００３７】
導出口２２４は、図３に示すように、蓋本体２２１における導入部２２３よりも背面側に形成される。この導出口２２４には、手洗い側給水配管３３が挿通される。
【００３８】
導出口２２４は、略円形形状で、蓋本体２２１を貫通して形成される。導出口２２４には、導水管としての手洗い側給水配管３３の第２蛇腹構成部３３５が通される。
【００３９】
導出口２２４の径は、手洗い側給水配管３３の第２蛇腹構成部３３５の径よりも僅かに大きく形成される。導出口２２４に第２蛇腹構成部３３５が通された場合には、導出口２２４と第２蛇腹構成部３３５との間には、隙間が形成される。導出口２２４と第２蛇腹構成部３３５との間の隙間からは、蓋部２２の上面に溜まった結露水等が、洗浄水タンク２０の内部に流入される。
【００４０】
蓋本体２２１における導出口２２４の周縁には、図４〜図６に示すように、複数のリブ部２２５が形成される。複数のリブ部２２５は、それぞれ、板状に形成される。複数のリブ部２２５は、それぞれ、蓋本体２２１の表面（第１面）２２１ａ及び裏面（第１面と反対の第２面）２２１ｂにおいて、導出口２２４の貫通方向に延びる。
【００４１】
リブ部２２５は、導出口２２４の径方向に延び、かつ、導出口２２４の径方向の内側に延びる。導出口２２４の径方向は、導出口２２４の接線に直交する方向である。本実施形態においては、リブ部２２５が複数設けられており、複数のリブ部２２５は、導出口２２４の周縁において、周方向に並んで、放射状に配置される。
【００４２】
リブ部２２５は、それぞれ、導出口２２４の周方向に視た場合に、図６に示すように、蓋本体２２１の表面２２１ａ及び裏面２２１ｂに亘って延びる略半円状に形成される。複数のリブ部２２５は、図６に示すように、それぞれ、蓋本体２２１の表面２２１ａから垂直方向の上方側に立ち上がる上方側リブ２２５ａ（リブ部）と、蓋本体２２１の裏面２２１ｂから垂直方向の下方側に立ち上がる下方側リブ２２５ｂ（リブ部）とを有する。上方側リブ２２５ａ及び下方側リブ２２５ｂは、蓋本体２２１における導出口２２４を跨いで連続して形成される。上方側リブ２２５ａ及び下方側リブ２２５ｂは、手洗い側給水配管３３（第２蛇腹構成部３３５）を導出口２２４の径方向の内側にガイドする。
【００４３】
複数のリブ部２２５（上方側リブ２２５ａ、下方側リブ２２５ｂ）は、図６に示すように、それぞれ、導出口２２４の径方向の内側に凸となる曲線部を有する。具体的には、本実施形態においては、複数のリブ部２２５は、図６に示すように、それぞれ、導出口２２４の内側の端部側において、上端部及び下端部の角部が、導出口２２４の径方向の内側に凸となるように形成された丸みを帯びたアール（Ｒ）を有している。なお、リブ部２２５における角部のアール（Ｒ）は、リブ部２２５の上端部から下端部に連続的に全てアール（Ｒ）となっていてもよく、また、上端部及び／又は下端部の部分のみがアール（Ｒ）となっていて、その他の部分が直線状になっていてもよい。
【００４４】
このようにリブ部２２５が形成されることで、リブ部２２５は、蓋本体２２１の導出口２２４の周縁のエッジよりも、導出口２２４の内側に突出して配置される。そのため、手洗い側給水配管３３の第２蛇腹構成部３３５は、第２蛇腹構成部３３５が移動しても、リブ部２２５に接触するため、蓋本体２２１における導出口２２４の周縁の板状の部分のエッジに接触し難い。
【００４５】
周方向に隣り合うリブ部２２５の間隔Ｌ１は、図５に示すように、手洗い側給水配管３３の第２蛇腹構成部３３５の径Ｌ２よりも小さい。具体的には、放射状に配置される複数のリブ部２２５において、隣り合うリブ部２２５の間隔は、Ｌ１である。手洗い側給水配管３３の第２蛇腹構成部３３５の外形の直径は、Ｌ２である。そして、隣り合うリブ部２２５の間隔Ｌ１は、図５に示すように、手洗い側給水配管３３の第２蛇腹構成部３３５の径Ｌ２よりも小さく設定されている。
そのため、手洗い側給水配管３３が、隣り合うリブ部２２５に阻まれて、隣り合うリブ部２２５の間に入り込むことが抑制される。これにより、手洗い側給水配管３３は、導出口２２４の周縁部に引っ掛かり難い。
【００４６】
手洗い側給水配管３３の第２蛇腹構成部３３５は、蛇腹状に形成される。手洗い側給水配管３３の第２蛇腹構成部３３５の蛇腹状の部分は、導出口２２４の周縁部に引っ掛かり難く、蛇腹状の部分が破損し難い。
【００４７】
リブ部２２５における導出口２２４の貫通方向の長さＬｂは、図７に示すように、第２蛇腹構成部３３５を長さ方向に伸ばした状態において、第２蛇腹構成部３３５の隣り合う山状凸部３３１ａの間隔Ｌａよりも長い。「第２蛇腹構成部３３５を長さ方向に伸ばした状態」とは、手洗い側給水配管３３の施工時に、第２蛇腹構成部３３５が引っ張られて長さ方向に伸びる程度の状態である。具体的には、本実施形態においては、手洗い側給水配管３３の第２蛇腹構成部３３５は、山折り及び谷折りが交互に繰り返す蛇腹構造を有している。隣り合う山状凸部３３１ａの間隔とは、山折り部から山折り部までの間の距離である。例えば、図７に示すように、隣り合う山状凸部３３１ａの間隔は、Ｌａである。リブ部２２５における導出口２２４の貫通方向の長さは、Ｌｂである。そして、リブ部２２５における導出口２２４の貫通方向の長さＬｂは、図７に示すように、隣り合う山状凸部３３１ａの間隔Ｌａよりも長く設定されている。
そのため、リブ部２２５は、隣り合う山状凸部３３１ａに阻まれて、手洗い側給水配管３３の第２蛇腹構成部３３５における隣り合う山状凸部３３１ａの間に、入り込むことが抑制される。そのため、手洗い側給水配管３３の第２蛇腹構成部３３５は、導出口２２４に引っ掛かり難い。
【００４８】
以上の洗浄水タンク２０には、給水部（図示せず）を介して洗浄水が供給される。
また、タンク本体２１の下部には、フロート弁（図示せず）により開閉される排水口が形成されている。そして、フロート弁を引き上げて排水口を開放することにより、タンク本体２１の内部に貯留された洗浄水が排水口（図示せず）から流出して便器１０に供給され、便器本体１１が洗浄される。
【００４９】
以上説明した本実施形態の便器洗浄装置１００によれば、以下のような効果を奏する。
本実施形態の便器洗浄装置１００は、導出口２２４が設けられた蓋部２２を有する洗浄水タンク２０と、導出口２２４を通して配置され、洗浄水タンク２０の内部から水を導出する手洗い側給水配管３３と、を備え、蓋本体２２１における導出口２２４の周縁には、蓋本体２２１の表面２２１ａ及び裏面２２１ｂにおいて、導出口２２４の貫通方向に延び且つ手洗い側給水配管３３（第２蛇腹構成部３３５）を導出口２２４の径方向の内側にガイドするリブ部２２５が形成される。
【００５０】
そのため、手洗い側給水配管３３は、導出口２２４に通して配置された場合における手洗い側給水配管３３の取り付け作業又は外し作業の際に、蓋本体２２１における導出口２２４の周縁のエッジに接触よりも、上方側リブ２２５ａ又は下方側リブ２２５ｂに接触しやすい。これにより、手洗い側給水配管３３は、導出口２２４の径方向の内側にガイドされ、蓋本体２２１における導出口２２４の周縁のエッジに接触することが低減され、導出口２２４の周縁に手洗い側給水配管３３が引っ掛かることを低減できる。
また、導出口２２４の周縁に手洗い側給水配管３３が引っ掛かることを低減できるため、手洗い側給水配管３３の径に対応させて、導出口２２４の径を小さくできる。これにより、洗浄水タンク２０の内部からの飛沫の飛び出しを低減できると共に、洗浄水タンク２０の内部から出される騒音を低減できる。
【００５１】
リブ部２２５は、導出口２２４の径方向の内側に凸となる曲線部を有する。そのため、リブ部２２５が手洗い側給水配管３３に接触しても、手洗い側給水配管３３がリブ部２２５の曲線部に接触するため、手洗い側給水配管３３が破損することを低減できる。
【００５２】
リブ部２２５は、導出口２２４の径方向に延びている。そのため、蓋部２２の蓋本体２２１の上面に溜まった水が、導出口２２４の径方向に沿って水が導かれるため、水を導出口２２４に流入させやすい。
【００５３】
リブ部２２５は、導出口２２４の径方向の内側に延びている。そのため、リブ部２２５は、蓋部本体の導出口２２４の周縁の板状のエッジよりも、導出口２２４の径方向の内側に突出する。これにより、蓋部本体の導出口２２４の周縁の板状のエッジに接触せずに、リブ部２２５に接触する。よって、手洗い側給水配管３３は、導出口２２４に引っ掛かり難い。
【００５４】
隣り合うリブ部２２５の間隔Ｌ１は、手洗い側給水配管３３の径Ｌ２よりも小さい。そのため、手洗い側給水配管３３が、隣り合うリブ部２２５に阻まれて、隣り合うリブ部２２５の間に入り込むことが抑制される。これにより、手洗い側給水配管３３は、導出口２２４の周縁部に引っ掛かり難い。
【００５５】
手洗い側給水配管３３の第２蛇腹構成部３３５は、蛇腹状に形成される。手洗い側給水配管３３の第２蛇腹構成部３３５の蛇腹状の部分は、導出口２２４の周縁部に引っ掛かり難く、蛇腹状の部分が破損し難い。
【００５６】
リブ部２２５における導出口２２４の貫通方向の長さＬａは、第２蛇腹構成部３３５を長さ方向に伸ばした状態において、第２蛇腹構成部３３５における隣り合う山状凸部３３１ａの間隔Ｌｂよりも長い。そのため、リブ部２２５は、隣り合う山状凸部３３１ａに阻まれて、手洗い側給水配管３３の第２蛇腹構成部３３５における隣り合う山状凸部３３１ａの間に、入り込むことが抑制される。そのため、手洗い側給水配管３３の第２蛇腹構成部３３５は、導出口２２４に引っ掛かり難い。
【００５７】
以上、本発明の便器洗浄装置１００の好ましい各実施形態について説明したが、本発明は、上述した実施形態に制限されるものではなく、適宜変更が可能である。
例えば、前記実施形態では、導水管を、洗浄水タンク２０の内部から手洗い器３０に水を導出する手洗い側給水配管３３としたが、これに限らない。導水管を、洗浄水タンク２０の外部から洗浄水タンク２０の内部に水を導入する導水管としてもよい。
【００５８】
また、前記実施形態では、導水管を、蛇腹状の第２蛇腹構成部３３５で構成したが、これに限らない。例えば、導水管を、筒状のゴム管で構成してもよい。
【００５９】
また、前記実施形態では、蓋部をタンク本体と別体として、蓋部をタンク本体に対して取り外し可能な構成としたが、これに限らない。洗浄水タンクは一体的に形成されていてもよい。例えば、板状部を、一体的に形成された洗浄水タンクの上壁又は側壁により構成してもよい。
【００６０】
また、前記実施形態では、上方側リブ２２５ａ及び下方側リブ２２５ｂを、蓋本体２２１における導出口２２４を跨いで連続に形成したが、これに限らない。上方側リブ２２５ａ又は下方側リブ２２５ｂのうちの一方のみを、蓋本体２２１の表面２２１ａ又は裏面２２１ｂに設けるように構成してもよい。
【００６１】
また、前記実施形態では、洗浄水タンク２０を覆うカバー部材を、洗浄水タンク２０が収納された収納部４０と、収納部４０の上部に設けられた手洗い器３０の手洗い鉢３１と、により構成したが、これに限らない。洗浄水タンク２０を覆うカバー部材を、例えば、手洗い鉢３１で構成される上部カバー部と周方向に囲む側部カバー部とが、樹脂材料により一体的に成型されるタンクカバーで構成してもよい。
【符号の説明】
【００６２】
１０  便器
２０  洗浄水タンク（タンク）
３３  手洗い側給水配管（導水管）
１００  便器洗浄装置
２２１  蓋本体（板状部）
２２１ａ  表面（第１面）
２２１ｂ  裏面（第２面）
２２４  導出口（開口部）
２２５  リブ部
２２５ａ  上方側リブ（リブ部）
２２５ｂ  下方側リブ（リブ部）
３３１ａ  山状凸部（凸部）
【図１】
0006535239.tif 000002
【図２】
0006535239.tif 000003
【図３】
0006535239.tif 000004
【図４】
0006535239.tif 000005
【図５】
0006535239.tif 000006
【図６】
0006535239.tif 000007
【図７】
0006535239.tif 000008